Podtech/llm-jp-corpus-v4-ja_patent huggingface dataset:
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
第１撮像部が撮像した第１画像および第２撮像部が撮像した第２画像に基づいてロボッ
トを制御する制御部を備え、
前記ロボットの座標系であるロボット座標系と前記第１撮像部の座標系である第１画像
座標系との対応付けがされていて、前記ロボット座標系と前記第２撮像部の座標系である
第２画像座標系との対応付けがされていない場合、
前記制御部は、
前記第１撮像部に第１マーカーを撮像させ、撮像された前記第１画像に含まれる前記第
１マーカーの前記ロボット座標系での第１位置を特定し、
前記第２撮像部に前記第１マーカーを撮像させ、撮像された前記第２画像に含まれる前
記第１マーカーの前記第２画像座標系での第２位置を特定し、
前記ロボット座標系での前記第１位置と、前記第２画像座標系での前記第２位置とに基
づいて、前記ロボット座標系と前記第２画像座標系との対応付けを行うことを特徴とする
制御装置。
【請求項２】
第１撮像部が撮像した第１画像および第２撮像部が撮像した第２画像に基づいてロボッ
トを制御する制御部を備え、
前記ロボットの座標系であるロボット座標系と前記第１撮像部の座標系である第１画像
座標系との対応付けがされていて、前記ロボット座標系と前記第２撮像部の座標系である
第２画像座標系との対応付けがされていない場合、
前記制御部は、
前記第１撮像部に第１マーカーを撮像させ、撮像された前記第１画像に含まれる前記第
１マーカーの前記ロボット座標系での第１位置を特定し、
前記第２撮像部に前記第１マーカーに対して相対位置が特定されている第２マーカーを
撮像させ、撮像された前記第２画像に含まれる前記第２マーカーの前記第２画像座標系で
の第２位置を特定し、
前記ロボット座標系での前記第１位置と、前記第２画像座標系での前記第２位置とに基
づいて、前記ロボット座標系と前記第２画像座標系との対応付けを行うことを特徴とする
制御装置。
【請求項３】
ロボットと、
前記ロボットの駆動を制御する制御部を備える制御装置と、
を有するロボットシステムであって、
前記ロボットシステムと接続される第１撮像部の座標系である第１画像座標系と前記ロ
ボットの座標系であるロボット座標系との対応付けがされていて、前記ロボットシステム
と接続される第２撮像部の座標系である第２画像座標系との対応付けがされていない場合
、
前記制御部は、
前記第１撮像部に第１マーカーを撮像させ、撮像された前記第１画像に含まれる前記第
１マーカーの前記ロボット座標系での第１位置を特定し、
前記第２撮像部に前記第１マーカーを撮像させ、撮像された前記第２画像に含まれる前
記第１マーカーの前記第２画像座標系での第２位置を特定し、
前記ロボット座標系での前記第１位置と、前記第２画像座標系での前記第２位置とに基
づいて、前記ロボット座標系と前記第２画像座標系との対応付けを行うことを特徴とする
ロボットシステム。
【請求項４】
前記ロボットは、ロボットアームを有し、
前記第１撮像部は、前記ロボットアームに設けられている請求項３に記載のロボットシ
ステム。
【請求項５】
前記第２撮像部の撮像方向は、重力が働く方向である請求項３または４に記載のロボッ
トシステム。
【請求項６】
ロボットと、
前記ロボットの駆動を制御する制御部を備える制御装置と、を有するロボットシステム
であって、
前記ロボットシステムと接続される第１撮像部の座標系である第１画像座標系と前記ロ
ボットの座標系であるロボット座標系との対応付けがされていて、前記ロボットシステム
と接続される第２撮像部の座標系である第２画像座標系との対応付けがされていない場合
、
前記制御部は、
前記第１撮像部に第１マーカーを撮像させ、撮像された前記第１画像に含まれる前記第
１マーカーの前記ロボット座標系での第１位置を特定し、
前記第２撮像部に前記第１マーカーに対して相対位置が特定されている第２マーカーを
撮像させ、撮像された前記第２画像に含まれる前記第２マーカーの前記第２画像座標系で
の第２位置を特定し、
前記ロボット座標系での前記第１位置と、前記第２画像座標系での前記第２位置とに基
づいて、前記ロボット座標系と前記第２画像座標系との対応付けを行うことを特徴とする
ロボットシステム。
【請求項７】
前記第２撮像部の撮像方向は、重力が働く方向である請求項６に記載のロボットシステ
ム。
【請求項８】
前記第１撮像部の撮像方向は、重力が働く方向と反対方向である請求項７に記載のロボ
ットシステム。
【請求項９】
ロボットの座標系であるロボット座標系と対応付けがされている第１画像座標系を有す
る第１撮像部を用いて、第２撮像部が有する第２画像座標系と前記ロボット座標系との対
応付けを行うキャリブレーション方法であって、
前記第１撮像部に第１マーカーを撮像させ、撮像された前記第１画像に含まれる前記第
１マーカーの前記ロボット座標系での第１位置を特定し、
前記第２撮像部に前記第１マーカーを撮像させ、撮像された前記第２画像に含まれる前
記第１マーカーの前記第２画像座標系での第２位置を特定し、
前記ロボット座標系での前記第１位置と、前記第２画像座標系での前記第２位置とに基
づいて、前記ロボット座標系と前記第２画像座標系との対応付けを行うことを特徴とする
キャリブレーション方法。
【手続補正２】
【補正対象書類名】明細書
【補正対象項目名】発明の名称
【補正方法】変更
【補正の内容】
【発明の名称】制御装置、ロボットシステムおよびキャリブレーション方法
【手続補正３】
【補正対象書類名】明細書
【補正対象項目名】０００１
【補正方法】変更
【補正の内容】
【０００１】
本発明は、ロボットの動作を制御する制御装置、ロボットシステムおよびキャリブレー
ション方法に関する。
【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
機内の空気を排出するファンを有する画像形成装置であって、
記録材に画像を形成する画像形成手段と、
前記ファンの回転を制御する制御手段と、
前記ファンを第１目標回転数で回転させるための第１制御設定値を予め保存する保存手段と、を備え、
前記制御手段は、前記ファンを前記第１制御設定値に応じて回転させ、前記ファンの回転数が所定の下限回転数以上になると前記画像形成手段による画像形成を許可し、前記ファンの状態が所定の開始条件を満たすことで、前記第１目標回転数よりも速い第２目標回転数で回転するように前記ファンのフィードバック制御を行い、
前記ファンが前記所定の下限回転数で回転している状態では、前記画像形成装置から機外へ排出される微粒子の排出量が所定量以下に抑制されることを特徴とする、
画像形成装置。
【請求項２】
前記保存手段は、前記第２目標回転数で回転させるための第２制御設定値を保存しており、
前記制御手段は、前記フィードバック制御により前記ファンの回転数が前記第２目標回転数に対して所定の範囲内になると、前記第２制御設定値に応じて前記ファンを回転させることを特徴とする、
請求項１記載の画像形成装置。
【請求項３】
前記制御手段は、前記ファンの回転をＰＷＭ信号により制御し、
前記保存手段は、前記第１制御設定値として前記ファンが前記第１目標回転数で回転するときの前記ＰＷＭ信号のデューティー比を保存し、前記第２制御設定値として前記ファンが前記第２目標回転数で回転するときの前記ＰＷＭ信号のデューティー比を保存することを特徴とする、
請求項２記載の画像形成装置。
【請求項４】
前記保存手段は、前記ファンの特性の中心に対して回転数のバラツキが生じても、前記下限回転数から騒音を抑制するための上限回転数までの範囲に収まるような前記第１目標回転数に応じた前記第１制御設定値を保存することを特徴とする、
請求項１〜３のいずれか１項記載の画像形成装置。
【請求項５】
前記制御手段は、前記画像形成手段による最初の画像形成時には、前記ファンを前記第１制御設定値に応じて回転させ、前記ファンの回転数が前記下限回転数以上になると前記画像形成手段による画像形成を許可し、前記ファンの状態が前記所定の開始条件を満たすことで、前記第２目標回転数で回転するように前記ファンのフィードバック制御を行い、
前記画像形成手段による２回目以降の画像形成時には、前記ファンを前記第２制御設定値に応じて回転させ、前記ファンの回転数が前記下限回転数以上になると前記画像形成手段による画像形成を許可し、前記ファンの状態が前記所定の開始条件を満たすことで、前記第２目標回転数で回転するように前記ファンのフィードバック制御を行うことを特徴とする、
請求項２〜４のいずれか１項記載の画像形成装置。
【請求項６】
前記制御手段は、前記所定の開始の条件として、前記ファンの回転開始から所定の時間が経過すると、前記フィードバック制御を開始することを特徴とする、
請求項１〜５のいずれか１項記載の画像形成装置。
【請求項７】
前記制御手段は、前記ファンの回転数が前記第１目標回転数で安定して回転するのに十分な前記所定の時間が経過すると、前記ファンの前記フィードバック制御を開始することを特徴とする、
請求項６記載の画像形成装置。
【請求項８】
前記制御手段は、前記所定の開始の条件として、前記ファンの回転数が前記第１目標回転数に対して所定の範囲内に収まったことを検出すると、前記フィードバック制御を開始することを特徴とする、
請求項１〜５のいずれか１項記載の画像形成装置。
【請求項９】
前記保存手段は、機内の温度上昇を抑制するための回転数を下回った前記第１目標回転数に応じた前記第１制御設定値を保存することを特徴とする、
請求項１〜８のいずれか１項記載の画像形成装置。
【請求項１０】
前記ファンは、回転に応じてパルス信号を出力し、
前記制御手段は、前記パルス信号により前記ファンの回転数を検出し、検出した回転数に応じて前記ファンのフィードバック制御を行うことを特徴とする、
請求項１〜９のいずれか１項記載の画像形成装置。
【請求項１１】
前記制御手段は、第２の所定の時間が経過しても前記ファンの回転数が前記下限回転数以上にならなければ、前記ファンに異常が発生したと判断することを特徴とする、
請求項１〜１０のいずれか１項記載の画像形成装置。
【請求項１２】
記録材に画像を形成する画像形成手段と、機内の空気を排出するファンと、前記ファンを第１目標回転数で回転させるための第１制御設定値を予め保存する保存手段と、を備えた画像形成装置により実行される方法であって、
前記ファンを前記第１制御設定値に応じて回転させ、
前記ファンの回転数が所定の下限回転数以上になると前記画像形成手段による画像形成を許可し、
前記ファンの状態が所定の開始条件を満たすことで、前記第１目標回転数よりも速い第２目標回転数で回転するように前記ファンのフィードバック制御を行い、
前記ファンが前記所定の下限回転数で回転している状態では、前記画像形成装置から機外へ排出される微粒子の排出量が所定量以下に抑制されることを特徴とする、
ファンの動作制御方法。
【手続補正２】
【補正対象書類名】明細書
【補正対象項目名】００１１
【補正方法】変更
【補正の内容】
【００１１】
本発明の画像形成装置は、機内の空気を排出するファンを有する画像形成装置であって、記録材に画像を形成する画像形成手段と、前記ファンの回転を制御する制御手段と、前記ファンを第１目標回転数で回転させるための第１制御設定値を予め保存する保存手段と、を備え、前記制御手段は、前記ファンを前記第１制御設定値に応じて回転させ、前記ファンの回転数が所定の下限回転数以上になると前記画像形成手段による画像形成を許可し、前記ファンの状態が所定の開始条件を満たすことで、前記第１目標回転数よりも速い第２目標回転数で回転するように前記ファンのフィードバック制御を行い、前記ファンが前記所定の下限回転数で回転している状態では、前記画像形成装置から機外へ排出される微粒子の排出量が所定量以下に抑制されることを特徴とする。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
装飾体を備える遊技盤を有する遊技機であって、
前記装飾体は、
発光体が実装される発光装飾基板と、
前記発光装飾基板の前方に配置されると共に前記発光体が発した光を前方へ射出する導光部と、
前記導光部の前方に配置される透明部と、
前記透明部の前方に配置される装飾部と、
を備え、
前記透明部には、少なくとも前記発光体と対応する位置に不透明領域が形成される、
ことを特徴とする遊技機。
【手続補正２】
【補正対象書類名】明細書
【補正対象項目名】０００２
【補正方法】変更
【補正の内容】
【０００２】
従来より、前枠や遊技盤には複数の発光体が配置される遊技機が提案されている（例えば、特許文献１）。
【手続補正３】
【補正対象書類名】明細書
【補正対象項目名】０００４
【補正方法】変更
【補正の内容】
【０００４】
ところで、装飾体による発光演出を発光体の発光により行う場合に、発光体の位置
が点光源のように装飾体において光ることで遊技者に違和感を与えるおそれがあった。
【手続補正４】
【補正対象書類名】明細書
【補正対象項目名】０００７
【補正方法】変更
【補正の内容】
【０００７】
上記した目的を達成するために、本発明においては、
装飾体を備える遊技盤を有する遊技機であって、
前記装飾体は、
発光体が実装される発光装飾基板と、
前記発光装飾基板の前方に配置されると共に前記発光体が発した光を前方へ射出する導光部と、
前記導光部の前方に配置される透明部と、
前記透明部の前方に配置される装飾部と、
を備え、
前記透明部には、少なくとも前記発光体と対応する位置に不透明領域が形成される、
ことを特徴とする。
【手続補正５】
【補正対象書類名】明細書
【補正対象項目名】０００８
【補正方法】変更
【補正の内容】
【０００８】
この遊技機では、装飾体を有している。この装飾体は、基板、導光部、透明部、装飾部を備えている。基板は、発光体が実装されるものである。導光部は、基板の前方に配置されると共に、発光体が発した光を前方へ射出することができるものである。透明部は、導光部の前方に配置されるものである。装飾部は、透明部の前方に配置されている。透明部には、少なくとも発光体と対応する位置に不透明領域が形成されている。
【手続補正６】
【補正対象書類名】明細書
【補正対象項目名】０００９
【補正方法】変更
【補正の内容】
【０００９】
このように、発光体が発した光は、導光部を介して、透明部へ出射されるものの、透明部には発光体と対応する位置に不透明領域が形成されているため、発光体が実装される位置が点光源のように装飾部において明るく光らず不透明領域により和らげられるようになっている。これにより、透明部を臨む導光部の面を均一に光らせることに寄与することができるため、装飾体の発光演出による違和感を遊技者に与え難い。したがって、発光演出による遊技興趣の低下を抑制することができる。
【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
所定の制御条件の成立に基づいて遊技者に有利な特別遊技状態に制御する遊技機において、
演出を制御可能な演出制御手段を備え、
前記演出制御手段は、
第１表示領域で、所定の動画画像を途中で静止した静止画像を表示しつつ、前記第１表示領域と異なる第２表示領域で、前記特別遊技状態に制御される可能性が高くなる発展演出又は前記動画画像を途中で静止したときの続きから再生する再生演出の何れを実行するかを煽る煽り演出を実行可能であることを特徴とする遊技機。
【手続補正２】
【補正対象書類名】明細書
【補正対象項目名】０００６
【補正方法】変更
【補正の内容】
【０００６】
本発明の遊技機は、
所定の制御条件の成立に基づいて遊技者に有利な特別遊技状態に制御する遊技機において、
演出を制御可能な演出制御手段を備え、
前記演出制御手段は、
第１表示領域で、所定の動画画像を途中で静止した静止画像を表示しつつ、前記第１表示領域と異なる第２表示領域で、前記特別遊技状態に制御される可能性が高くなる発展演出又は前記動画画像を途中で静止したときの続きから再生する再生演出の何れを実行するかを煽る煽り演出を実行可能であることを特徴とする遊技機である。
【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
遊技の進行に係る遊技制御処理を所定の割り込み時間毎に実行可能な遊技制御手段を備える遊技機において、
前記遊技制御手段は、特別図柄を変動表示させることが可能であり、
前記特別図柄の変動時間を、前記割り込み時間よりも長い基準時間で除算されている値の情報として記憶する記憶手段を備えていることを特徴とする遊技機。
【請求項２】
請求項１に記載の遊技機において、
演出を制御可能な演出制御手段を備え、
前記遊技制御手段は、
前記特別図柄の変動時間のうちの第１変動時間の情報を含む第１変動コマンドを前記演出制御手段に送信可能であると共に、前記特別図柄の変動時間のうちの第２変動時間の情報を含む第２変動コマンドを前記演出制御手段に送信可能であり、
前記演出制御手段は、
受信した前記第１変動コマンドに含まれる前記第１変動時間の情報と、受信した前記第２変動コマンドに含まれる前記第２変動時間の情報と、の組合せに基づいて前記演出を実行可能であり、
前記記憶手段は、
前記第１変動時間を前記基準時間で除算されている値の情報として記憶していると共に、前記第２変動時間を前記基準時間で除算されている値の情報として記憶していることを特徴とする遊技機。
【請求項３】
請求項１又は請求項２に記載の遊技機において、
前記記憶手段において前記変動時間として記憶されているそれぞれの情報は、１バイト以下であることを特徴とする遊技機。
【手続補正２】
【補正対象書類名】明細書
【補正対象項目名】０００６
【補正方法】変更
【補正の内容】
【０００６】
本発明の遊技機は、
遊技の進行に係る遊技制御処理を所定の割り込み時間毎に実行可能な遊技制御手段を備える遊技機において、
前記遊技制御手段は、特別図柄を変動表示させることが可能であり、
前記特別図柄の変動時間を、前記割り込み時間よりも長い基準時間で除算されている値の情報として記憶する記憶手段を備えていることを特徴とする遊技機。
【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
演出を制御可能な演出制御手段を備える遊技機において、
前記演出制御手段は、
実行中の演出における演出状態を１番目の演出状態から所定番目の演出状態まで順番に変化させることが可能であり、
前記演出状態を変化させる度に当該演出状態で表示する所定の表示物を大きくすることで当選期待度が高くなることを示唆可能であり、
前記演出状態の変化により前記表示物を大きくする場合には、当該表示物の大きさ及び形状を変化させて、当該表示物を表示することを特徴とする遊技機。
【手続補正２】
【補正対象書類名】明細書
【補正対象項目名】０００６
【補正方法】変更
【補正の内容】
【０００６】
本発明の遊技機は、
演出を制御可能な演出制御手段を備える遊技機において、
前記演出制御手段は、
実行中の演出における演出状態を１番目の演出状態から所定番目の演出状態まで順番に変化させることが可能であり、
前記演出状態を変化させる度に当該演出状態で表示する所定の表示物を大きくすることで当選期待度が高くなることを示唆可能であり、
前記演出状態の変化により前記表示物を大きくする場合には、当該表示物の大きさ及び形状を変化させて、当該表示物を表示することを特徴とする遊技機である。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
装飾体を備える遊技盤を有する遊技機であって、
前記装飾体は、
発光体が実装される発光装飾基板と、
前記発光装飾基板の前方に配置されると共に前記発光体が発した光を前方へ射出する導光部と、
前記導光部の前方に配置される透明部と、
前記透明部の前方に配置される装飾部と、
を備え、
前記発光体は多色で発光可能である、
ことを特徴とする遊技機。
【手続補正２】
【補正対象書類名】明細書
【補正対象項目名】０００２
【補正方法】変更
【補正の内容】
【０００２】
従来より、前枠や遊技盤には複数の発光体が配置される遊技機が提案されている（例えば、特許文献１）。
【手続補正３】
【補正対象書類名】明細書
【補正対象項目名】０００３
【補正方法】変更
【補正の内容】
【０００３】
【特許文献１】特開２０１６−２０２３３３号公報（段落［００１８］、段落［００３９］、図１、及び図２）
【手続補正４】
【補正対象書類名】明細書
【補正対象項目名】０００４
【補正方法】変更
【補正の内容】
【０００４】
ところで、装飾体による発光演出を発光体の発光により行う場合に、発光体の位置
が点光源のように装飾体において光ることで遊技者に違和感を与えるおそれがあった。
【手続補正５】
【補正対象書類名】明細書
【補正対象項目名】０００５
【補正方法】変更
【補正の内容】
【０００５】
本発明は、このような事情に鑑みてなされたものであり、その目的とするところは、発
光演出による遊技興趣の低下を抑制することができる遊技機を提供することにある。
【手続補正６】
【補正対象書類名】明細書
【補正対象項目名】０００７
【補正方法】変更
【補正の内容】
【０００７】
上記した目的を達成するために、本発明においては、
装飾体を備える遊技盤を有する遊技機であって、
前記装飾体は、
発光体が実装される発光装飾基板と、
前記発光装飾基板の前方に配置されると共に前記発光体が発した光を前方へ射出する導光部と、
前記導光部の前方に配置される透明部と、
前記透明部の前方に配置される装飾部と、
を備え、
前記発光体は多色で発光可能である、
ことを特徴とする。
また、本発明とは別の発明として、以下の手段を参考的に開示する。
（解決手段１）
遊技を行う遊技機であって、電源線と制御線とを含む複数の導体が平行に配置されて絶
縁材により被覆される平面型配線部材を備え、前記平面型配線部材に平行に配置される前
記複数の導体であって電磁波ノイズの発生源側を臨む当該平面型配線部材の幅方向におけ
る最端側の導体が電源線として配置される、ことを特徴とする遊技機。
【手続補正７】
【補正対象書類名】明細書
【補正対象項目名】００１５
【補正方法】変更
【補正の内容】
【００１５】
本発明の遊技機においては、発光演出による遊技興趣の低下を抑制することができる。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
装飾体を備える遊技盤を有する遊技機であって、
前記装飾体は、
発光体が実装される発光装飾基板と、
前記発光装飾基板の前方に配置されると共に前記発光体が発した光を前方へ射出する導光部と、
前記導光部の前方に配置される透明部と、
前記透明部の前方に配置される装飾部と、
を備え、
前記発光装飾基板の前記発光体が実装される実装面には、白色塗膜が略全面に形成されている、
ことを特徴とする遊技機。
【手続補正２】
【補正対象書類名】明細書
【補正対象項目名】０００２
【補正方法】変更
【補正の内容】
【０００２】
従来より、前枠や遊技盤には複数の発光体が配置される遊技機が提案されている（例えば、特許文献１）。
【手続補正３】
【補正対象書類名】明細書
【補正対象項目名】０００３
【補正方法】変更
【補正の内容】
【０００３】
【特許文献１】特開２０１６−２０２３３３号公報（段落［００１８］、段落［００３９］、図１、及び図２）
【手続補正４】
【補正対象書類名】明細書
【補正対象項目名】０００４
【補正方法】変更
【補正の内容】
【０００４】
ところで、装飾体による発光演出を発光体の発光により行う場合に、発光体の位置
が点光源のように装飾体において光ることで遊技者に違和感を与えるおそれがあった。
【手続補正５】
【補正対象書類名】明細書
【補正対象項目名】０００５
【補正方法】変更
【補正の内容】
【０００５】
本発明は、このような事情に鑑みてなされたものであり、その目的とするところは、発
光演出による遊技興趣の低下を抑制することができる遊技機を提供することにある。
【手続補正６】
【補正対象書類名】明細書
【補正対象項目名】０００７
【補正方法】変更
【補正の内容】
【０００７】
上記した目的を達成するために、本発明においては、
装飾体を備える遊技盤を有する遊技機であって、
前記装飾体は、
発光体が実装される発光装飾基板と、
前記発光装飾基板の前方に配置されると共に前記発光体が発した光を前方へ射出する導光部と、
前記導光部の前方に配置される透明部と、
前記透明部の前方に配置される装飾部と、
を備え、
前記発光装飾基板の前記発光体が実装される実装面には、白色塗膜が略全面に形成されている、
ことを特徴とする。
また、本発明とは別の発明として、以下の手段を参考的に開示する。
（解決手段１）
遊技を行う遊技機であって、導電性部材と、電磁波ノイズの影響に弱い第１配線部材と
、前記第１配線部材と比べて電磁波ノイズの影響に強い第２配線部材と、を備え、電磁波
ノイズの発生源側を臨む前記導電性部材の一方の面に前記第２配線部材を配置すると共に
、電磁波ノイズの発生源側を臨まない前記導電性部材の他方の面に前記第１配線部材を配
置する、ことを特徴とする遊技機。
【手続補正７】
【補正対象書類名】明細書
【補正対象項目名】００１６
【補正方法】変更
【補正の内容】
【００１６】
本発明の遊技機においては、発光演出による遊技興趣の低下を抑制することができる。
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
生成装置で生成された第１洗浄液を供給する第１供給部と、第２洗浄液を供給する第２供給部とを備える洗浄装置であって、
前記第１供給部による前記第１洗浄液の供給と、前記第２供給部による前記第２洗浄液の供給とを制御する制御手段と、
前記第１洗浄液の供給に係る状態が所定の条件を満たすかを判断する判断手段を有し、
前記制御手段は、前記判断手段で前記所定の条件を満たすと判断された場合に、前記第１供給部による前記第１洗浄液の供給から前記第２供給部による前記第２洗浄液の供給に切り替えることを特徴とする洗浄装置。
【請求項２】
前記制御手段は、前記判断手段で前記第１洗浄液の供給に係る状態が異常であると判断された場合に前記切り替えを行うことを特徴とする請求項１に記載の洗浄装置。
【請求項３】
前記判断手段は、前記生成装置での第１洗浄液の生成に係る状態に基づいて、前記供給に係る状態を判断することを特徴とする請求項１または２に記載の洗浄装置。
【請求項４】
前記第２洗浄液は、前記生成装置で前記第１洗浄液の生成に用いられる液体であること
を特徴とする請求項１〜３のいずれか１項に記載の洗浄装置。
【請求項５】
前記第２洗浄液は、前記第１洗浄液による洗浄後の廃液であること
を特徴とする請求項１〜３のいずれか１項に記載の洗浄装置。
【請求項６】
生成装置で生成された第１洗浄液を供給する第１供給部と、第２洗浄液を供給する第２供給部とを備える洗浄装置の制御方法であって、
前記第１供給部による前記第１洗浄液の供給と、前記第２供給部による前記第２洗浄液の供給とを制御する制御ステップと、
前記第１洗浄液の供給に係る状態が所定の条件を満たすかを判断する判断ステップを有し、
前記制御ステップは、前記判断ステップで前記所定の条件を満たすと判断された場合に、前記第１供給部による前記第１洗浄液の供給から前記第２供給部による前記第２洗浄液の供給に切り替えることを特徴とする洗浄装置の制御方法。
【請求項７】
生成装置で生成された第１洗浄液を供給する第１供給部と、第２洗浄液を供給する第２供給部とを備える第１洗浄装置を含む洗浄システムであって、
前記第１供給部による前記第１洗浄液の供給と、前記第２供給部による前記第２洗浄液の供給とを制御する制御手段と、
前記第１洗浄液の供給に係る状態が所定の条件を満たすかを判断する判断手段を有し、
前記制御手段は、前記判断手段で前記所定の条件を満たすと判断された場合に、前記第１供給部による前記第１洗浄液の供給から前記第２供給部による前記第２洗浄液の供給に切り替えることを特徴とする洗浄システム。
【請求項８】
前記洗浄システムは、前記第１洗浄装置での洗浄に用いられた第１洗浄液の廃液である第３洗浄液を供給する第３供給部と、前記第２洗浄液を供給する第４供給部とを備える第２洗浄装置を更に含み、
前記制御手段は、前記第３供給部による前記第３洗浄液の供給と、前記第４供給部による前記第２洗浄液の供給とを制御し、
前記制御手段は、前記判断手段で前記所定の条件を満たすと判断された場合に、前記３供給部による前記第３洗浄液の供給から前記第４供給部による前記第２洗浄液の供給に切り替えることを特徴とする請求項７に記載の洗浄システム。
【請求項９】
生成装置で生成された第１洗浄液を供給する第１供給部と、第２洗浄液を供給する第２供給部とを備える第１洗浄装置を含む洗浄システムの制御方法であって、
前記第１供給部による前記第１洗浄液の供給と、前記第２供給部による前記第２洗浄液の供給とを制御する制御ステップと、
前記第１洗浄液の供給に係る状態が所定の条件を満たすかを判断する判断ステップを有し、
前記制御ステップは、前記判断ステップで前記所定の条件を満たすと判断された場合に、前記第１供給部による前記第１洗浄液の供給から前記第２供給部による前記第２洗浄液の供給に切り替えることを特徴とする洗浄システムの制御方法。
【手続補正２】
【補正対象書類名】明細書
【補正対象項目名】０００８
【補正方法】変更
【補正の内容】
【０００８】
本発明は、生成装置で生成された第１洗浄液を供給する第１供給部と、第２洗浄液を供給する第２供給部とを備える洗浄装置であって、前記第１供給部による前記第１洗浄液の供給と、前記第２供給部による前記第２洗浄液の供給とを制御する制御手段と、前記第１洗浄液の供給に係る状態が所定の条件を満たすかを判断する判断手段を有し、前記制御手段は、前記判断手段で前記所定の条件を満たすと判断された場合に、前記第１供給部による前記第１洗浄液の供給から前記第２供給部による前記第２洗浄液の供給に切り替えることを特徴とする。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
撮像光学系の光軸に直交する直交面に対して傾動可能な撮像素子を有する撮像装置の制御装置であって、
フォーカスの設定を行うフォーカス設定手段と、
フォーカスの設定が行われた後で、前記直交面と前記撮像素子との間の角度であるあおり角度を設定するあおり角度設定手段と、
を有することを特徴とする制御装置。
【請求項２】
画角の設定を行う画角設定手段を、さらに有し、
前記フォーカス設定手段は、画角の設定が行われた後で、フォーカスの設定を行うことを特徴とする請求項１に記載の制御装置。
【請求項３】
前記撮像装置により撮影された映像を取得する取得手段と、
前記映像を表示手段に表示するよう制御する表示処理手段と
を有し、
前記あおり角度設定手段は、前記表示手段に表示された表示画面への入力操作に応じて、前記あおり角度を設定することを特徴とする請求項１または２に記載の制御装置。
【請求項４】
前記表示処理手段は、前記映像と、前記あおり角度の設定を受け付けるためのユーザインターフェース画像とを含む設定画面を表示するよう制御することを特徴とする請求項３に記載の制御装置。
【請求項５】
前記表示処理手段は、画角及びフォーカスが設定された後で、前記設定画面を表示するよう制御することを特徴とする請求項４に記載の制御装置。
【請求項６】
前記表示処理手段は、前記映像の一部の領域を拡大表示するよう制御することを特徴とする請求項３乃至５の何れか１項に記載の制御装置。
【請求項７】
一部の領域の指定を受け付ける領域受付手段をさらに有し、
前記表示処理手段は、前記領域受付手段が指定を受け付けた領域を拡大表示するよう制御することを特徴とする請求項６に記載の制御装置。
【請求項８】
前記取得手段は、異なる複数のあおり角それぞれに対応した複数の映像を取得し、
前記表示処理手段は、前記複数の映像を表示するよう制御することを特徴とする請求項３乃至７の何れか１項に記載の制御装置。
【請求項９】
前記取得手段は、異なる複数の方向それぞれに対応した最大傾斜時のあおり角それぞれに対応した複数の映像を受信することを特徴とする請求項８に記載の制御装置。
【請求項１０】
撮像光学系の光軸に直交する直交面に対して傾動可能な撮像素子を有する撮像装置の制御装置が実行する制御方法であって、
フォーカスの設定を行うフォーカス設定ステップと、
フォーカスの設定が行われた後で、前記直交面と前記撮像素子との間の角度であるあおり角度を設定するあおり角度設定ステップと、
を含むことを特徴とする制御方法。
【請求項１１】
コンピュータを、請求項１乃至９の何れか１項に記載の制御装置の各手段として機能させるためのプログラム。
【手続補正２】
【補正対象書類名】明細書
【補正対象項目名】０００７
【補正方法】変更
【補正の内容】
【０００７】
そこで、本発明は、撮像光学系の光軸に直交する直交面に対して傾動可能な撮像素子を有する撮像装置の制御装置であって、フォーカスの設定を行うフォーカス設定手段と、フォーカスの設定が行われた後で、前記直交面と前記撮像素子との間の角度であるあおり角度を設定するあおり角度設定手段と、を有することを特徴とする。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
画像中のピントを合わせる位置を検出する検出手段と、
前記検出された位置を示すガイドを前記画像に重畳した合成画像を生成する処理手段と、
前記処理手段により生成された合成画像を表示する表示手段と、
前記合成画像を生成する処理に用いられる表示情報を、前記検出手段により検出される前記位置の情報に応じて更新する制御手段と、を有することを特徴とする撮像装置。
【請求項２】
前記検出手段が検出可能な複数の位置に対応する複数のガイドを含むガイド画像を保持する保持手段を有し、
前記表示情報は、前記複数のガイドのそれぞれと前記画像との合成比率を示す情報を含み、
前記制御手段は、前記複数のガイドのうち、前記検出された位置を示すガイドの透過度ほうが、前記検出された位置を示さないガイドの透過度よりも、低くなるように、前記合成比率を示す情報を更新することを特徴とする請求項１に記載の撮像装置。
【請求項３】
前記表示情報は、前記制御手段が更新を行うルックアップテーブルとして保持され、
前記ルックアップテーブルのデータ容量の範囲内で、前記複数のガイドの数に応じて前記合成比率を示す情報の分解能が可変であることを特徴とする請求項２に記載の撮像装置。
【請求項４】
前記表示情報は、前記複数のガイドのそれぞれの色情報を示す情報を含むことを特徴とする請求項３に記載の撮像装置。
【請求項５】
前記ルックアップテーブルのデータ容量の範囲内で、前記複数のガイドの数に応じて前記色情報および前記合成比率を示す情報の分解能が可変であることを特徴とする請求項４に記載の撮像装置。
【請求項６】
前記ガイドは、前記検出された位置を示す枠線であることを特徴とする請求項１から５のいずれか１項に記載の撮像装置。
【請求項７】
前記制御手段は、前記検出手段による検出タイミングに最も近い表示タイミングで前記表示情報を更新することを特徴とする請求項１から６のいずれか１項に記載の撮像装置。
【請求項８】
前記ピントを合わせる位置は、オートフォーカス機能による合焦位置または合焦した被写体位置であることを特徴とする請求項１から７のいずれか１項に記載の撮像装置。
【請求項９】
画像を撮像する撮像手段をさらに有し、
前記ガイドは、撮像されたライブビュー画像中のピントを合わせる位置に重畳されることを特徴とする請求項１から８のいずれか１項に記載の撮像装置。
【請求項１０】
検出手段と、処理手段と、表示手段と、制御手段を有する撮像装置の制御方法であって、
前記検出手段が、画像中のピントを合わせる位置を検出するステップと、
前記処理手段が、前記検出された位置を示すガイドを前記画像に重畳した合成画像を生成する処理ステップと、
前記表示手段が、前記処理手段により生成された合成画像を表示するステップと、
前記制御手段が、前記合成画像を生成する処理に用いられる表示情報を、前記検出手段により検出される前記位置の情報に応じて更新するステップと、を有することを特徴とする撮像装置の制御方法。
【請求項１１】
コンピュータに、請求項１０に記載された制御方法を実行させるためのプログラム。
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
搬送路上に搬送される原稿に光を照射する第１光源を有し、該原稿からの反射光に基づいて該原稿の移動を検知する検知部と、
前記搬送路上に搬送される原稿に光を照射する第２光源を有し、該原稿からの反射光に基づいて該原稿を読み取る読み取り部と
を有し、
前記読み取り部は、前記検知部から前記原稿の搬送方向にずれた位置に、前記搬送路に対して前記検知部と同じ側に設けられており、
前記第１光源及び前記第２光源のうち一方は、前記搬送路に沿った方向において前記第１光源及び前記第２光源のうち他方が位置する側とは異なる側に向けて光を照射する
ことを特徴とする画像読取装置。
【請求項２】
前記読み取り部は、前記検知部から前記原稿の搬送方向下流側にずれた位置に、前記搬送路に対して前記検知部と同じ側に設けられており、
前記第１光源は、前記原稿の搬送方向に対して垂直な方向、若しくは搬送方向上流側に向けて光を照射し、
前記第２光源は、前記原稿の搬送方向下流側に向けて光を照射する
ことを特徴とする請求項１に記載の画像読取装置。
【請求項３】
搬送路上に搬送される原稿に光を照射する第１光源を有し、該原稿からの反射光に基づいて該原稿の移動を検知する検知部と、
前記搬送路上に搬送される原稿に光を照射する第２光源を有し、該原稿からの反射光に基づいて該原稿を読み取る読み取り部と
を有し、
前記読み取り部は、前記検知部から前記原稿の搬送方向にずれた位置に、前記搬送路に対して前記検知部と異なる側に設けられている
ことを特徴とする画像読取装置。
【請求項４】
前記第１光源及び前記第２光源のうち一方は、前記搬送路に沿った方向において前記第１光源及び前記第２光源のうち他方が位置する側とは異なる側に向けて光を照射することを特徴とする請求項３に記載の画像読取装置。
【請求項５】
前記読み取り部は、前記検知部から前記原稿の搬送方向下流側にずれた位置に、前記搬送路に対して前記検知部と異なる側に設けられており、
前記第１光源は、前記原稿の搬送方向に対して垂直な方向、若しくは搬送方向上流側に向けて光を照射し、
前記第２光源は、前記原稿の搬送方向に対して垂直な方向、若しくは搬送方向下流側に向けて光を照射する
ことを特徴とする請求項３又は４に記載の画像読取装置。
【請求項６】
搬送路上に搬送される原稿に光を照射する第１光源を有し、該原稿からの反射光に基づいて該原稿の移動を検知する検知部と、
前記搬送路上に搬送される原稿に光を照射する第２光源を有し、該原稿からの反射光に基づいて該原稿を読み取る読み取り部と
を有し、
前記読み取り部は、前記検知部から前記原稿の搬送方向にずれた位置に、前記搬送路に対して前記検知部と同じ側と、前記搬送路に対して前記検知部と異なる側と、に設けられており、
前記搬送路に対して前記検知部と異なる側の前記読み取り部は、前記搬送路に対して前記検知部と同じ側の前記読み取り部よりも前記搬送方向において前記検知部の近くに設けられている
ことを特徴とする画像読取装置。
【請求項７】
前記第１光源及び前記搬送路に対して前記検知部と同じ側に設けられた前記第２光源のうち一方は、前記搬送路に沿った方向において前記第１光源及び前記搬送路に対して前記検知部と同じ側に設けられた前記第２光源のうち他方が位置する側とは異なる側に向けて光を照射することを特徴とする請求項６に記載の画像読取装置。
【請求項８】
前記搬送路に対して前記検知部と同じ側に設けられた前記第２光源及び前記搬送路に対して前記検知部と異なる側に設けられた前記第２光源は、前記搬送路に沿った方向において前記第１光源が位置する側とは異なる側に向けて光を照射することを特徴とする請求項６又は７に記載の画像読取装置。
【請求項９】
前記第１光源は前記第２光源が点灯している間は消灯することを特徴とする請求項６乃至８の何れか１項に記載の画像読取装置。
【請求項１０】
前記画像読取装置は、前記読み取り部が読み取った前記原稿の画像を出力することを特徴とする請求項１乃至９の何れか１項に記載の画像読取装置。
【手続補正２】
【補正対象書類名】明細書
【補正対象項目名】０００６
【補正方法】変更
【補正の内容】
【０００６】
本発明は、搬送路上に搬送される原稿に光を照射する第１光源を有し、該原稿からの反射光に基づいて該原稿の移動を検知する検知部と、
前記搬送路上に搬送される原稿に光を照射する第２光源を有し、該原稿からの反射光に基づいて該原稿を読み取る読み取り部と
を有し、
前記読み取り部は、前記検知部から前記原稿の搬送方向にずれた位置に、前記搬送路に対して前記検知部と同じ側に設けられており、
前記第１光源及び前記第２光源のうち一方は、前記搬送路に沿った方向において前記第１光源及び前記第２光源のうち他方が位置する側とは異なる側に向けて光を照射する
ことを特徴とする。
【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
UE(User Equipment)であって、
前記UEがNG-RAN(Next Generation Radio Access Network)からUTRAN(Universal Terrestrial Radio Access Network)へのSRVCC(Single Radio Voice Call Continuity)をサポートする場合、第1の識別情報及びMobile Station Classmark 2及びサポートするコーデックを第1の登録要求メッセージにセットする制御部と、
前記第1の登録要求メッセージをコアネットワークに送信する送受信部と、を有し、
ここで、前記第1の識別情報は、前記NG-RANから前記UTRANへの前記SRVCCをサポートすることを示す機能情報である、
ことを特徴とするUE。
【請求項２】
前記Mobile Station Classmark 2又は前記サポートするコーデックを変更する場合、
前記送受信部は、
第2の登録要求メッセージをコアネットワークに送信する、
ことを特徴とする請求項１に記載のUE。
【請求項３】
前記第2の登録要求メッセージは、前記第1の識別情報を含む、
ことを特徴とする請求項2に記載のUE。
【請求項４】
UE(User Equipment)の通信制御方法であって、
前記UEがNG-RAN(Next Generation Radio Access Network)からUTRAN(Universal Terrestrial Radio Access Network)へのSRVCC(Single Radio Voice Call Continuity)をサポートする場合、第1の識別情報及びMobile Station Classmark 2及びサポートするコーデックを第1の登録要求メッセージにセットし、
前記第1の登録要求メッセージをコアネットワークに送信し、
ここで、前記第1の識別情報は、前記NG-RANから前記UTRANへの前記SRVCCをサポートすることを示す機能情報である、
ことを特徴とするUEの通信制御方法。
【請求項５】
前記Mobile Station Classmark 2又は前記サポートするコーデックを変更する場合、
第2の登録要求メッセージをコアネットワークに送信する、
ことを特徴とする請求項４に記載のUEの通信制御方法。
【請求項６】
前記第2の登録要求メッセージは、前記第1の識別情報を含む、
ことを特徴とする請求項5に記載のUEの通信制御方法。
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
複数の検出領域から構成され、前記検出領域ごとに放射線を検出する複数の第１の画素と前記放射線を遮蔽する複数の第２の画素とが設けられた画素領域と、
前記複数の検出領域に対応して設けられ、前記検出領域ごとに当該検出領域に設けられた前記複数の第１の画素および前記複数の第２の画素の出力信号を処理する、複数の信号処理部と、
前記信号処理部ごとに、当該信号処理部で処理した前記複数の第１の画素の出力信号を、当該信号処理部で処理した前記複数の第２の画素の出力信号を用いて補正する補正部と、を有し、
前記検出領域には、前記複数の第１の画素が２次元行列状に設けられており、
前記補正部は、前記信号処理部で処理した前記複数の第１の画素の出力信号を、当該信号処理部で処理した前記複数の第２の画素の出力信号を用いて、前記行の方向および前記列の方向について前記補正すること
を特徴とする放射線撮影装置。
【請求項２】
前記信号処理部は、前記複数の第１の画素の出力信号および前記複数の第２の画素の出力信号を増幅する処理を行う増幅器を含み構成されていることを特徴とする請求項１に記載の放射線撮影装置。
【請求項３】
前記信号処理部は、前記複数の第１の画素の出力信号および前記複数の第２の画素の出力信号を、アナログ信号からディジタル信号に変換する処理を行うＡＤ変換器を含み構成されていることを特徴とする請求項１または２に記載の放射線撮影装置。
【請求項４】
前記補正部は、前記複数の第２の画素の出力信号を多項式近似して、前記複数の第１の画素の出力信号を前記補正することを特徴とする請求項１乃至３のいずれか１項に記載の放射線撮影装置。
【請求項５】
前記補正部は、前記信号処理部ごとに、当該信号処理部に対応する前記検出領域を分割した複数の分割領域における分割領域ごとに前記多項式近似の次数を変えて、前記補正を行うことを特徴とする請求項４に記載の放射線撮影装置。
【請求項６】
前記次数は、当該放射線撮影装置の熱特性に応じて定められたものであることを特徴とする請求項５に記載の放射線撮影装置。
【請求項７】
前記多項式近似の前後で、隣接する前記検出領域の境界近傍における前記第２の画素の出力信号が変わらないことを特徴とする請求項４乃至６のいずれか１項に記載の放射線撮影装置。
【請求項８】
前記補正部は、前記複数の第２の画素の出力信号を移動平均して、前記複数の第１の画素の出力信号を前記補正することを特徴とする請求項１乃至３のいずれか１項に記載の放射線撮影装置。
【請求項９】
前記補正部は、前記複数の第２の画素の出力信号を前記２次元の面状に近似して、前記複数の第１の画素の出力信号を前記補正することを特徴とする請求項１乃至８のいずれか１項に記載の放射線撮影装置。
【請求項１０】
前記２次元の面状の近似の前後で、隣接する前記検出領域の境界近傍における前記第２の画素の出力信号が変わらないことを特徴とする請求項９に記載の放射線撮影装置。
【請求項１１】
前記補正部は、読み出された時間の異なる前記第２の画素の出力信号を複数平均して、前記補正を行うことを特徴とする請求項１乃至３のいずれか１項に記載の放射線撮影装置。
【請求項１２】
前記画素領域の外部に、前記放射線を遮蔽する第３の画素を更に設け、
前記補正部は、前記信号処理部ごとに、当該信号処理部で処理した前記第２の画素の出力信号および当該信号処理部で処理した前記第３の画素の出力信号を用いて、前記補正を行うことを特徴とする請求項１乃至３のいずれか１項に記載の放射線撮影装置。
【請求項１３】
複数の検出領域から構成され、前記検出領域ごとに２次元行列状に設けられ放射線を検出する複数の第１の画素と前記放射線を遮蔽する複数の第２の画素とが設けられた画素領域を用いて、前記放射線を検出する検出ステップと、
前記複数の検出領域に対応して設けられた複数の信号処理部を用いて、前記信号処理部ごとに、対応する前記検出領域に設けられた前記複数の第１の画素および前記複数の第２の画素の出力信号を処理する信号処理ステップと、
前記信号処理部ごとに、当該信号処理部で処理した前記複数の第１の画素の出力信号を、当該信号処理部で処理した前記複数の第２の画素の出力信号を用いて前記行の方向および前記列の方向について補正する補正ステップと、
を有することを特徴とする放射線撮影装置の制御方法。
【手続補正２】
【補正対象書類名】明細書
【補正対象項目名】０００７
【補正方法】変更
【補正の内容】
【０００７】
本発明の放射線撮影装置は、複数の検出領域から構成され、前記検出領域ごとに放射線を検出する複数の第１の画素と前記放射線を遮蔽する複数の第２の画素とが設けられた画素領域と、前記複数の検出領域に対応して設けられ、前記検出領域ごとに当該検出領域に設けられた前記複数の第１の画素および前記複数の第２の画素の出力信号を処理する、複数の信号処理部と、前記信号処理部ごとに、当該信号処理部で処理した前記複数の第１の画素の出力信号を、当該信号処理部で処理した前記複数の第２の画素の出力信号を用いて補正する補正部と、を有し、前記検出領域には、前記複数の第１の画素が２次元行列状に設けられており、前記補正部は、前記信号処理部で処理した前記複数の第１の画素の出力信号を、当該信号処理部で処理した前記複数の第２の画素の出力信号を用いて、前記行の方向および前記列の方向について前記補正する。
また、本発明は、上述した放射線撮影装置の制御方法を含む。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にするかの第１判定を行う第１判定手段と、
所定の図柄を変動表示させた後、前記第１判定の結果を示す停止態様で停止表示させる図柄表示手段と、
前記図柄の変動パターンを選択する変動パターン選択手段と、
前記図柄の変動表示を保留することが可能な保留手段と、
前記第１判定よりも前に、前記特別遊技状態になるかの第２判定を行う第２判定手段と、
演出を制御可能な演出制御手段と、を備え、
前記演出制御手段は、前記第２判定の結果に基づいて、通常態様の保留表示を行うときと、前記通常態様とは異なる特殊態様の保留表示を行うときとがあり、
前記変動表示の保留の数が所定値以下であるときに、前記特別遊技状態にしない旨の前記第１判定に基づいて比較的変動時間の長い特定の変動パターンが選択された場合には、当該特定の変動パターンに係る保留表示として前記通常態様の保留表示が表示されている可能性が高く、
前記変動表示の保留の数が前記所定値を超えているときに、前記特別遊技状態にしない旨の前記第１判定に基づいて前記特定の変動パターンが選択された場合には、当該特定の変動パターンに係る保留表示として前記特殊態様の保留表示が表示されている可能性が高いことを特徴とする遊技機。
【請求項２】
請求項１に記載の遊技機であって、
前記演出制御手段は、前記図柄の変動表示の際に、前記特別遊技状態になることに期待させる予告演出を実行可能であり、
前記通常態様の保留表示に係る変動表示の際には前記予告演出が実行され難く、前記特殊態様の保留表示に係る変動表示の際には前記予告演出が実行され易いことを特徴とする遊技機。
【請求項３】
請求項１又は請求項２に記載の遊技機であって、
前記第２判定における前記特別遊技状態にならない旨の判定結果には、第１の変動区分であるという判定結果と、第２の変動区分であるという判定結果とがあり、
前記演出制御手段は、前記第２判定において前記第１の変動区分であると判定された場合には前記特殊態様よりも前記通常態様の保留表示を行う可能性が高い一方、前記第２判定において前記第２の変動区分であると判定された場合には前記通常態様よりも前記特殊態様の保留表示を行う可能性が高く、
前記変動パターン選択手段は、前記第２判定において前記第１の変動区分であると判定された場合でも前記第２の変動区分であると判定された場合でも、前記特定の変動パターンを選択することがあることを特徴とする遊技機。
【手続補正２】
【補正対象書類名】明細書
【補正対象項目名】０００６
【補正方法】変更
【補正の内容】
【０００６】
本発明の遊技機は、
遊技者に有利な特別遊技状態にするかの第１判定を行う第１判定手段と、
所定の図柄を変動表示させた後、前記第１判定の結果を示す停止態様で停止表示させる図柄表示手段と、
前記図柄の変動パターンを選択する変動パターン選択手段と、
前記図柄の変動表示を保留することが可能な保留手段と、
前記第１判定よりも前に、前記特別遊技状態になるかの第２判定を行う第２判定手段と、
演出を制御可能な演出制御手段と、を備え、
前記演出制御手段は、前記第２判定の結果に基づいて、通常態様の保留表示を行うときと、前記通常態様とは異なる特殊態様の保留表示を行うときとがあり、
前記変動表示の保留の数が所定値以下であるときに、前記特別遊技状態にしない旨の前記第１判定に基づいて比較的変動時間の長い特定の変動パターンが選択された場合には、当該特定の変動パターンに係る保留表示として前記通常態様の保留表示が表示されている可能性が高く、
前記変動表示の保留の数が前記所定値を超えているときに、前記特別遊技状態にしない旨の前記第１判定に基づいて前記特定の変動パターンが選択された場合には、当該特定の変動パターンに係る保留表示として前記特殊態様の保留表示が表示されている可能性が高いことを特徴とする遊技機である。
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
サッカロマイセス・ミカタエ（Ｓａｃｃｈａｒｏｍｙｃｅｓ  ｍｉｋａｔａｅ）  ＡＫ４０株（ＮＩＴＥ  Ｐ−０２６７３）と、サッカロマイセス・セレビシエ（Ｓａｃｃｈａｒｏｍｙｃｅｓ  ｃｅｒｅｖｉｓｉａｅ）  Ｈ２４Ｕ１Ｍ株（ＮＩＴＥ  Ｐ−０２５０８）とを交雑することを特徴とする、サッカロマイセス（Ｓａｃｃｈａｒｏｍｙｃｅｓ）属に属する、より良好な風香味を有するパン類が製造可能な製パン用酵母の作出方法。
【請求項２】
交雑が、細胞対胞子接合、希少接合または細胞融合のいずれかであることを特徴とする請求項１に記載の製パン用酵母の作出方法。
【請求項３】
製パン用酵母サッカロマイセス（Ｓａｃｃｈａｒｏｍｙｃｅｓ）ｓｐ．ＤＨＭ１５株（ＮＩＴＥ  Ｐ−０２６７２）。
【請求項４】
製パン用酵母サッカロマイセス（Ｓａｃｃｈａｒｏｍｙｃｅｓ）ｓｐ．ＨＭ４０株（ＮＩＴＥ  Ｐ−０２９３８）。
【請求項５】
請求項３又は４に記載の製パン用酵母を含有するパン生地。